(57)【要約】【課題】いわゆるモバイル機器等の電子機器に、テレビ放送信号等の高周波信号を受信して利用可能にする機能を簡単に追加できるようにする。【解決手段】高周波回路１１ａと中間周波回路１１ｂとからなるフロントエンド部１１と、Ａ／Ｄ変換部１２などのデジタル信号処理回路とをカード型のケース内に設け、デジタル信号処理回路において形成したデジタル信号をカード型のケースに設けられた出力端から出力し、相手機器が処理可能な形式のデジタル信号とした受信信号を供給する。【選択図】        図１
2004201108.tif 000002
【特許請求の範囲】
【請求項１】
受信した高周波信号を増幅し、目的とする高周波信号を選局して、この選局した前記高周波信号を中間周波信号に変換する低消費電力で小型された高周波回路と、
前記高周波回路部からの中間周波信号を復調して、目的とする情報信号を得るようにする中間周波回路と、
前記中間周波回路において復調された情報信号を目的とする形式のデジタル情報信号に変換するデジタル信号処理回路と
をカード型のケース内に収納し、
前記カード型のケースに前記デジタル信号処理回路からの前記デジタル情報信号を出力する出力端を設けて構成したことを特徴とする高周波信号受信装置。
【請求項２】
請求項１に記載の高周波信号受信装置であって、
外部装置からの情報信号を受け付けて、これを前記デジタル信号処理回路に供給するようにするための外部情報信号入力端を備えることを特徴とする高周波信号受信装置。
【請求項３】
請求項１または請求項２に記載の高周波信号受信装置であって、
前記高周波回路と、前記中間周波回路と、前記デジタル信号処理回路とが収納される前記カード型のケースの容積を３立方センチメートル以下にしたことを特徴とする高周波信号受信装置。
【請求項４】
請求項１、請求項２または請求項３に記載の高周波信号受信装置であって、
前記デジタル信号処理回路は、データ圧縮処理回路を含むことを特徴とする高周波信号受信装置。
【請求項５】
請求項１、請求項２または請求項３に記載の高周波信号受信装置であって、
前記デジタル信号処理回路は、ＰＣＩ（Peripheral Component Interconnect）バスに送出可能なデジタル情報信号を形成するデジタル変換回路を含むことを特徴とする高周波信号受信装置。
【請求項６】
請求項１、請求項２または請求項３に記載の高周波信号受信装置であって、
前記デジタル信号処理回路は、ＵＳＢ（Universal Serial Bus）に送出可能なデジタル情報信号を形成するデジタル変換回路を含むことを特徴とする高周波信号受信装置。
【請求項７】
請求項１または請求項２に記載の高周波信号受信装置であって、
前記デジタル信号処理回路は、所定のバスに送出可能なデジタル情報信号を形成するためのデジタルシグナルプロセッサを含むことを特徴とする高周波信号受信装置。
【発明の詳細な説明】
【０００１】
【発明の属する技術分野】
この発明は、例えば、携帯電話端末、ＰＤＡ（Personal Digital Assistants）、ノート型パーソナルコンピュータなどのいわゆるモバイル機器に対して、例えば地上波テレビ放送信号などの高周波放送信号の受信、復調機能を追加するようにするためのいわゆるカード型の高周波信号受信装置に関する。
【０００２】
【従来の技術】
携帯電話端末、ＰＤＡ、パーソナルコンピュータなどの電子機器においては、例えば、ＰＣＭＣＩＡ（Personal Computer Memory Card International Association）カード（以下、ＰＣカードという。）や、メモリスティック（登録商標）、ＳＤメモリカード（（登録商標）Secure Digital Memory card）などの小型メモリカードなどを用いることによって、付加機能を追加するようにすることが行われている。
【０００３】
例えば、地図情報や地図表示プログラムが記録されたメモリカードを携帯電話端末やＰＤＡに装填することにより、携帯電話端末やＰＤＡに地図表示機能、地図検索機能を追加したり、無線ＬＡＮカードをパーソナルコンピュータに装填することにより、そのパーソナルコンピュータに無線ＬＡＮ機能を追加したりするなどのことが行われている。
【０００４】
同じ様にして、例えば、ＬＣＤ（Liquid Crystal Display）などの表示素子を備えたパーソナルコンピュータやビデオカメラなどの電子機器に、テレビ放送信号の受信、復調機能（テレビ機能）を付加機能として簡単に追加できれば、それらの電子機器をテレビ受像機としても利用することが可能となり、その活用範囲が広げられる。
【０００５】
表示素子を備えたパーソナルコンピュータなどの電子機器にテレビ放送信号の受信機能を追加する技術としては、例えば、特許文献１（特開平５−１４１３３号公報）に説明されているカード型電子チューナにかかる技術がある。このカード型電子チューナは、カード型のケース内に、チューナ回路部、チャンネル制御回路部、復調回路部を内蔵させるとともに入出力コネクタを設け、電子機器に対して着脱可能となるように構成したものである。
【０００６】
このように構成されるカード型電子チューナを用いることにより、パーソナルコンピュータやビデオカメラなどのＰＣカードスロットを備えた電子機器に対して、簡単にテレビ放送のチューナ機能を追加し、テレビ受像機としても用いることができるようにされる。
【０００７】
【特許文献１】
特開平５−１４１３３号公報
【０００８】
【発明が解決しようとする課題】
ところで、近年においては、比較的に大きな表示画面のＬＣＤを備えた携帯電話端末やＰＤＡ、あるいは、ノート型パーソナルコンピュータなどのいわゆるモバイル電子機器が広く利用されるようになってきている。このようなモバイル機器にもテレビ放送信号の受信機能を付加機能として簡単に追加できれば、外出先などにおいてもテレビ放送番組の視聴が可能となり、モバイル機器の用途を広げ、その価値を高められる。
【０００９】
しかしながら、上述した特許文献１に記載されているカード型電子チューナは、チューナ回路部とチャンネル制御回路部とからなるいわゆる高周波回路部と、高周波回路部からの中間周波信号を復調してアナログベースバンドの映像信号と音声信号とを得るいわゆる中間周波回路部とを備えたものであり、モバイル機器において直接に処理可能な形式のデジタル映像信号、デジタル音声信号の出力ができない。
【００１０】
モバイル機器においては、携帯性の良さが追求され、小型化、軽量化が進められており、アナログ映像信号とアナログ音声信号との供給を受けて、これらをデジタル信号に変換するＡ／Ｄ変換部（アナログ／デジタル変換部）を新たに搭載することは困難であるし、また、コストアップの要因にもなり好ましくない。また、携帯電話端末やＰＤＡの場合には、ＰＣカードの大きさのカード型チューナでは大きすぎる。
【００１１】
以上のことにかんがみ、この発明は、上記問題点を一掃し、既に利用されている携帯電話端末、ＰＤＡ、ノート型パーソナルコンピュータなどのいわゆるモバイル機器等の電子機器に、テレビ放送信号等の高周波信号を受信して利用可能にする機能を簡単に追加できるようにする高周波信号受信装置を提供することを目的とする。
【００１２】
【課題を解決するための手段】
上記課題を解決するため、請求項１に記載の発明の高周波信号受信回路は、近年の研究により、テレビ放送信号等の高周波信号を受信、選局する高周波回路部の高周波増幅回路やミキサー回路における種々のパラメータ等を様々に調整し、高周波回路の各回路素子においての消費電力を低減させていくことにより、性能を維持しつつ低消費電力化を進め、高周波回路部として遜色ない極めて小型化した１チップＬＳＩ（Large Scale Integrated Circuit）が実現できるという発見的な事実に着目し、上記課題を勘案することによりなされたものであり、
受信した高周波信号を増幅し、目的とする高周波信号を選局して、この選局した前記高周波信号を中間周波信号に変換する低消費電力で小型された高周波回路と、
前記高周波回路部からの中間周波信号を復調して、目的とする情報信号を得るようにする中間周波回路と、
前記中間周波回路において復調された情報信号を目的とする形式のデジタル情報信号に変換するデジタル信号処理回路と
をカード型のケース内に収納し、
前記カード型のケースに前記デジタル信号処理回路からの前記デジタル情報信号を出力する出力端を設けて構成したことを特徴とする。
【００１３】
この請求項１に記載の発明の高周波信号受信装置によれば、高周波回路と中間周波回路とデジタル信号処理回路とがカード型のケース内に設けられ、デジタル信号処理回路において形成されたデジタル信号がカード型のケースに設けられた出力端から出力するようにされる。
【００１４】
このように、大きさが限られたガード型のケース内にデジタル信号処理回路をも搭載した構成にすることにより、この高周波信号受信回路をノート型パーソナルコンピュータなどのモバイル機器に装着することにより、受信、選局した目的とするテレビ放送信号等を当該モバイル機器で利用可能な形式のデジタル信号にして供給し、当該モバイル機器で利用可能にされる。したがって、モバイル機器についてはその構成を何ら変更することなく、テレビ放送信号等の高周波信号の利用ができるようにされる。
【００１５】
また、請求項２に記載の発明の高周波信号受信装置は、請求項１に記載の高周波信号受信装置であって、
外部装置からの情報信号を受け付けて、これを前記デジタル信号処理回路に供給するようにするための外部情報信号入力端を備えることを特徴とする。
【００１６】
この請求項２に記載の発明の高周波信号受信装置によれば、外部機器からの情報信号を受け付けて、これをデジタル信号処理回路に供給する構成を備えるようにされる。これにより、外部機器からの情報信号をもこの高周波信号受信装置が装着されるモバイル機器等の電子機器において利用可能にされる。
【００１７】
また、請求項３に記載の発明の高周波信号受信装置は、請求項１または請求項２に記載の高周波信号受信装置であって、
前記高周波回路と、前記中間周波回路と、前記デジタル信号処理回路とが収納される前記カード型のケースの容積を３立方センチメートル以下にしたことを特徴とする。
【００１８】
この請求項３に記載の発明の高周波信号受信装置によれば、低消費電力化が実現され、極めて小さなＬＳＩ化に成功した高周波回路を用いることにより、容積が３立方センチメートル（３ｃｃ）のカード型のケース内に、高周波回路、中間周波回路、デジタル信号処理回路の３つが搭載できるようにされる。
【００１９】
これにより、種々の小型メモリカードと同等か、それ以下の大きさの高周波信号受信装置を実現し、従来からの携帯電話端末やＰＤＡなどのモバイル機器が備えているいわゆる小型メモリカードの装着スロットに、当該高周波信号受信装置を装着するだけで、テレビ放送信号等の高周波信号を受信し、モバイル機器において利用することができるようにされる。
【００２０】
【発明の実施の形態】
以下、図を参照しながら、この発明による高周波信号受信装置の一実施の形態について説明する。以下においては、この発明による高周波信号受信装置を、地上波アナログテレビ放送信号を受信、選局して利用できるようにするカード型チューナモジュールに適用した場合を例にして説明する。
【００２１】
なお、後述もするが、以下に説明するカード型チューナモジュールの大きさは、これが装着されるモバイル機器等の電子機器に応じて、例えば、ＰＣカードと同じかあるいはそれ以下の大きさで構成し、あるいは、種々提供されている小型メモリカードと同様にして用いる場合には、その小型メモリカードと同等あるいはそれ以下の大きさで構成するものである。また、後者の場合の具体的な基準としては、例えば、容積が３立方センチメートル（３ｃｃ）以下の大きさである。
【００２２】
図１は、この実施の形態のカード型チューナモジュールの一例を説明するための図である。図１に示すカード型チューナモジュール１は、大きく分けると、図１Ａに示すように、テレビ放送信号を受信、選局、復調して、アナログ映像信号ＡＶｄとアナログ音声信号ＡＡｕとを出力するいわゆるフロントエンド部１１と、このフロントエンド部１１からのアナログ映像信号ＡＶｄとアナログ音声信号ＡＡｕとを所定の形式のデジタル映像信号とデジタル音声信号とに変換するＡ／Ｄ変換部１２とからなるものである。
【００２３】
なお、図１Ａに示すように、フロントエンド部１１の前段には、テレビ放送信号を受信して、これをフロントエンド部１１に供給する受信アンテナＡＮＴが設けれれるとともに、Ａ／Ｄ変換部１２の後段には、Ａ／Ｄ変換部１２からのデジタル信号を外部に出力するための出力端であるコネクタＯＴが設けられている。
【００２４】
フロントエンド部１１は、図１Ｂに示すように、テレビ放送信号を受信、選局して、この選局した高周波信号を中間周波信号に変換して出力する高周波回路部１１ａと、高周波回路部１１ａからの中間周波信号を増幅し、同期検波を行って、映像信号と音声信号を復調する中間周波増幅検波回路部（中間周波回路部）１１ｂとからなるものである。
【００２５】
また、Ａ／Ｄ変換部１２は、アナログ映像信号ＡＶｄの供給を受けて、これをデジタル映像信号ＤＶｄに変換するビデオデコーダ１２ａと、アナログ音声信号ＡＡｕの供給を受けて、これをデジタル音声信号ＤＡｕに変換するオーディオデコーダ１２ｂと、デジタル映像信号ＤＶｄとデジタル音声信号ＤＡｕとの供給を受けて、所定の形式、例えば、ＩＴＵ（International Telecommunication Union（国際電気通信連合））で標準化された所定の形式のデジタル信号を形成して出力するビデオプロセッサ１２ｃとからなるものである。
【００２６】
このように構成されるこのカード型チューナモジュール１において、カード型のケース１Ｃに収納可能なまでに小型化に大きく貢献している部分は、図１Ａおよび図１Ｂに示したフロントエンド部１１である。図２は、このフロントエンド部１１の具体的な回路構成の一例を説明するための回路図である。
【００２７】
この例のフロントエンド部１１の高周波回路部１１は、図２に示すように、高周波増幅回路（以下、ＲＦアンプと略称する。）１１１と、ミキサー回路１１２、１１６と、発信器１１５、１１８と、ＰＬＬ回路１１４、１１７と、発振器１１３と、増幅回路（以下、アンプという。）１１９とを備えたダブルスーパーヘテロダイン方式（アップダウンコンバータ方式）の構成とされたものである。
【００２８】
また、中間周波増幅検波回路部１１ｂは、図２に示すように、中間周波増幅器（以下、ＩＦアンプと略称する。）１２１と、位相を９０度ずらすためのＰＬＬ回路の構成とされた位相器１２２と、ミキサー回路１２３、１２６と、ローパスフィルタ（以下、ＬＰＦ（Low Pass Filter）と略称する。）１２４と、局部発振回路（以下、ＬＯ（Local Oscillator）と略称する。）１２５と、ＬＰＦ１２７と、アンプ１２８と、バンドパスフィルタ（以下、ＢＰＦ（Band Pass Filter）と略称する。）１２９と、ＦＭ検波器１３０とを備えたものである。
【００２９】
高周波回路部１１ａのＲＦアンプ１１１と、中間周波増幅検波回路部１１ｂのＩＦアンプ１２１とは、ＡＧＣ（Auto Gain Control）回路１３１によって、その利得が自動制御するようにされている。このＡＧＣ回路１３１は、例えば映像増幅回路などからの出力信号に基づいて、ＲＦアンプ１１１、ＩＦアンプ１２１の利得制御を行なうようにするものである。
【００３０】
さらに、高周波回路部１１ａには、いわゆる外付けの状態で、ＳＡＷフィルタ（Surface Acoustic Wave Filter）Ｆ１と水晶発発振器ＯＳとが設けられるとともに、高周波回路部１１ａと中間周波増幅検波回路１１ｂとの間にも、ＳＡＷフィルタＦ２が設けられて、フロントエンド部１１が形成されている。
【００３１】
そして、受信アンテナＡＮＴで受信されるＶＨＦ帯、ＵＨＦ帯を合わせて、９０ＭＨｚ〜７７０ＭＨｚのテレビ放送信号は、不平衡／平衡変換機ＢＬを通じて、高周波回路部１１ａのＲＦアンプ１１に供給され、ここで目的とするレベルにまで増幅された後、ミキサー回路１１２に供給される。
【００３２】
ミキサー回路１１２には、発振器１１５からの発振信号が供給される。この発振器１１５からの発振信号は、水晶発振器ＯＳからの基準信号に基づいて、発振器１１３から発振され、ＰＬＬ回路１１４において分周されて形成された信号に基づいて形成されたものである。
【００３３】
ミキサー回路１１２は、発振器１１５からの発振信号に基づいて、ＲＦアンプ１１１からの高周波信号を１．２ＧＨｚ帯の信号にアップコンバートし、これをＳＡＷフィルＦ１に供給する。ＳＡＷフィルタＦ１は、ミキサー回路１１２からの１．２ＧＨｚ帯の信号を帯域制限して不要成分を除去した後、帯域制限後の１．２ＧＨｚ帯の信号をミキサー回路１１６に供給する。
【００３４】
ミキサー回路１１６には、発振器１１８からの発振信号は供給される。この発振器１１８からの発振信号は、水晶発振器ＯＳからの基準信号に基づいて、発振器１１３から発振され、選局指示に応じた分周比でＰＬＬ回路１１７において分周されて形成された信号に基づいて形成されたものである。
【００３５】
ミキサー回路１１６は、発振器１１８からの発振信号に基づいて、ＳＡＷフィルタＦ１からの１．２ＧＨｚ帯の信号に含まれる目的とする信号を５８．７５ＭＨｚの中間周波信号に変換し、これをＳＡＷフィルタＦ２を通じて中間周波増幅検波回路１２のＩＦアンプ１２１に供給する。
【００３６】
ＩＦアンプ１２１は、これに供給された中間周波信号を所定のレベルにまで増幅し、増幅後の中間周波信号をＰＬＬ回路の構成とされた位相器１２２と、ミキサー回路１２３に供給する。この位相器１２２、ミキサー回路１２３、ＬＰＦ１２４、ＬＯ（局発部）１２５、ミキサー回路１２６からなる回路部分は、ＩＦアンプ１２１からの出力信号と、ＬＯ１２５からの発振信号との位相を合わせ、位相器１２２からの９０度位相がずらされた中間周波信号とＬＯ１２５からの発振信号とをミキサー回路１２６において混合するようにして、同期検波を行なう部分である。
【００３７】
ミキサー回路１２６からの信号は、ＬＰＦ１２７とＢＰＦ１２９に供給される。ＬＰＦ１２７は、これに供給された信号の低周波成分のみを抽出することによりアナログ映像信号ＡＶｄを得る。このアナログ映像信号Ａｖｄは、アンプ１２８において増幅され、これがアナログ映像信号の出力端子を通じて出力される。
【００３８】
一方、ＢＰＦ１２９は、ミキサー回路１２６からの信号の内、所定の帯域の信号成分のみを抽出することにより、ＦＭ変調されているアナログ音声信号を得る。このアナログ音声信号は、ＦＭ検波器１３０において復調されて、ベースバンドのアナログ音声信号ＡＡｕとされ、これがアナログ音声信号の出力端子を通じて出力される。
【００３９】
このようにして、中間周波増幅検波回路１１ｂから出力されるアナログ映像信号ＡＶｄとアナログ音声信号ＡＡｕとが、図１Ｃに示したＡ／Ｄデコード回路部１２に供給され、所望の形式のデジタル信号に変換されて、このカード型チューナモジュール１が装填された、例えば、携帯電話端末やＰＤＡやノート型パーソナルコンピュータなどのモバイル機器に供給されることになる。
【００４０】
そして、この実施の形態のカード型チューナモジュールの高周波回路部１１ａは、ダブルスーパーヘテロダイン方式を採用し、受信した高周波信号を１．２ＧＨｚ帯の信号にアップコンバートすることにより、１つのＳＡＷフィルタで必要な信号成分のみを抽出することができ、従来の高周波回路のように、多数の空芯コイルを用いて構成するフィルタなどを用いなくても、目的とする信号成分を効率よく抽出することができるようにしている。
【００４１】
一般には、高周波回路部を構成するにあたっては、必要なフィルタや発振器などを構成するために、２５点以上の空芯コイルが用いられる。しかし、図２に示した構成のこの例の高周波回路１１ｂは、空芯コイルを用いる必要はなく、厚さ、面積の面で小型化を進めることができる。
【００４２】
さらに、ＲＦアンプ１１１、ミキサー回路１１２、１１６などに工夫を加え、種々のパラメータを調整して行くことにより、ＲＦアンプ１１１、ミキサー回路１１２、１１６、さらにはその他の各回路素子の消費電力を少しずつ削減し、高周波回路部１１ａと中間周波増幅検波回路１１ｂとからなるフロントエンド部１１における消費電力を０．８Ｗ（８００ｍＷ）以下にまで削減することに成功している。
【００４３】
このように、消費電力が極めて小さいことから、小型化が実現され、高周波回路部１１ａを１つのＬＳＩで形成することができ、しかも放熱用に基板を大きくするなどのこともない。もちろん、中間周波増幅検波回路１１ｂも１つのＬＳＩで形成することができる。これら２つの極めて小型化されたＬＳＩによって、フロントエンド部１１を構成することが可能となった。これら２つのＬＳＩで構成されるフロントエンド部１１の容積は、１立方センチメートル以下である。
【００４４】
しかも、このように構成されるフロントエンド部１１は、雑音指数、相互変調歪特性、他波、妨害波特性等の種々の電気特性の値から、実用に十分な性能を実現していることが実証された。
【００４５】
このように小型化されたフロントエンド部１１に対して、ＬＳＩ化されたＡ／Ｄ変換部１２を接続した場合であっても、ＰＣカード以下の大きさのカード型チューナモジュールを形成することが可能である。このように、従来搭載できなかったＡ／Ｄ変換部をも搭載した、ＰＣカード以下の大きさのカード型チューナモジュールが実現できる。
【００４６】
したがって、ノート型パーソナルコンピュータに対して利用可能なＰＣカードサイズのカード型チューナモジュール１が実現できる。しかも、この例のカード型チューナモジュール１は、Ａ／Ｄ変換部１２をも備えているので、ノート型パーソナルコンピュータに対してＡ／Ｄ変換部を搭載するなどの変更を加える必要は全くなく、従来のノート型パーソナルコンピュータに対し、付加機能としてテレビ機能を簡単に追加することができる。
【００４７】
そして、ノート型パーソナルコンピュータが備えるＬＣＤなどの表示素子にカード型チューナモジュール１からの映像データによる映像を表示するとともに、ノート型パーソナルコンピュータが備えるスピーカからカード型チューナモジュール１からの音声データによる音声を放音するようにして、簡単にテレビ放送番組を視聴することができるようにされる。
【００４８】
また、ノート型パーソナルコンピュータが備えるハードディスクなどの大容量記憶媒体に、カード型チューナモジュール１からの映像データと音声データとを記録することも可能であるし、また、ノート型パーソナルコンピュータが送信機能を有するものであれば他の機器に対して、カード型チューナモジュール１からの映像データと音声データとを送信することも可能である。
【００４９】
ここでは、主に、カード型チューナモジュール１をＰＣカード以下の大きさとした場合を説明したが、さらに、フロントエンド部１１と、Ａ／Ｄ変換部１２とからなる部分の容積を３立方センチメートル以下とし、小型メモリカードとして利用可能な小型のカード型チューナモジュールを実現することも可能である。つまり、小型メモリカードの利用が可能な携帯電話端末やＰＤＡなどのモバイル機器に対して利用可能な小型のカード型チューナモジュールを実現することもできる。
【００５０】
この場合にも、カード型チューナモジュール１は、Ａ／Ｄ変換部１２をも備えているので、携帯電話端末、ＰＤＡなどのモバイル機器にＡ／Ｄ変換部を搭載するなどの変更を加える必要は全くない。カード型チューナモジュール１をモバイル機器に装填するだけで、そのモバイル機器にテレビ機能を追加することができる。
【００５１】
なお、図１Ａにも示したように、カード型チューナモジュール１に対して、外部Ａ／Ｖ入力端（外部オーディオ／ビデオ入力端）を設け、外部機器からのアナログ映像信号やアナログ音声信号をＡ／Ｄ変換部１２に供給することによって、例えば、ＶＴＲやＤＶＤ再生装置など外部機器からの映像信号や音声信号を当該カード型チューナモジュール１が装填されたモバイル機器等の電子機器において利用できるようにすることができる。
【００５２】
また、出力端子ＯＰは、この例のカード型チューナモジュール１の場合には、その大きさがＰＣカードと同じ大きさとされた場合には、ＰＣカードのコネクタに準拠したものとし、それ以下の大きさの場合には、これが装填されるモバイル機器等の電子機器のコネクタに合致する形状とされる。
【００５３】
なお、ここでは、説明を簡単にするため、カード型チューナモジュール１からモバイル機器等の電子機器にデジタル映像信号、デジタル音声信号を出力する場合について説明したが、例えば、コネクタＯＴは、モバイル機器等の電子機器からの選局制御信号の入力を受け付けて、これをフロントエンド部１１に供給するなど、装着された電子機器からの制御信号などを受け付けて、これを該当回路に供給することもできるようにされたものである。
【００５４】
［カード型チューナモジュールの他の構成例について］
ところで、上述したカード型チューナモジュール１の場合、これが装着されるモバイル機器は、例えば、ＩＴＵで標準化された所定の形式のデジタル信号を受け付けることができるものである場合に利用可能であるが、その他の形式のデジタル信号を扱うモバイル機器も存在する。このため、利用するモバイル機器に応じて、種々の構成のカード型チューナモジュールを構成することが可能である。
【００５５】
［構成例１（ＭＰＥＧエンコード部を備えるもの）］
モバイル機器の中には、映像データ、音声データについては、ＭＰＥＧ方式でデータ圧縮されたデータの供給を前提としているモバイル機器も有ると考えられる。このような機器を想定し、図３に示すカード型チューナモジュール２は、ＭＰＥＧエンコード部２１を設けるようにしたものである。図３において、図１Ａに示したカード型チューナモジュール１と同様に構成される部分には、同じ参照符号を付し、その説明は省略する。
【００５６】
図３に示すように、この構成例１のカード型チューナモジュール２は、図１Ａに示したカード型チューナモジュール１と同様に、図２を用いて説明したように構成されるフロントエンド部１１と、図１Ｃに示したように構成されるＡ／Ｄ変換部１２とを備えるとともに、Ａ／Ｄ変換部１２からの映像データと音声データとからなるデジタル信号の供給を受けて、これをＭＰＥＧ方式でデータ圧縮し、圧縮後のデジタルデータを出力端であるコネクタＯＴから出力するようにするＭＰＥＧエンコーダ２１を設けたものである。
【００５７】
なお、コネクタＯＴの形状は、この例のカード型チューナモジュール２が装填されるモバイル機器等の電子機器の対応コネクタに合致する形状とされる。また、  この図３に示すカード型チューナモジュール２の場合にも、その大きさ（ケース２Ｃの大きさ）は、ＰＣカード以下、あるいは、容積が３立方センチメートル以下となるようにされるものである。
【００５８】
このように、ＭＰＥＧエンコード部２１をも備えたカード型チューナモジュール２を構成することにより、ＭＰＥＧ方式で映像信号や音声信号がデータ圧縮されたデジタルデータの処理が可能なモバイル機器に対して、ＭＰＥＧ方式でデータ圧縮したテレビ放送番組の映像信号と音声信号を供給することができる。
【００５９】
そして、ＭＰＥＧ方式でデータ圧縮されたテレビ放送番組の映像信号と音声信号との供給を受けるモバイル機器においては、これを自機がもともと備える圧縮解凍機能を用いてデータ圧縮前のデジタル信号に復元し、これに応じた映像を自機のＬＣＤに表示し、また、音声については、自機のスピーカやヘッドホン端子を通じて出力することができるようにされる。
【００６０】
もちろん、この例のカード型チューナモジュール２が装填されたモバイル機器等の電子機器が、ハードディスクなどの大容量記録媒体を備えているものであるときには、そのハードディスクにカード型チューナモジュール２からのデータ圧縮されたデジタル映像データやデジタル音声データを記録するようにすることもできるし、圧縮解凍後のデジタルデータを記録することもできる。
【００６１】
また、この例のカード型チューナモジュール２が装填されたモバイル機器等の電子機器が、送信機能を備えているものである場合には、その送信機能を用いて、カード型チューナモジュール２からのデータ圧縮されたデジタル映像データやデジタル音声データを他の電子機器に送信したり、圧縮解凍したデータを送信したりすることも可能である。
【００６２】
［構成例２（ＰＣＩ変換部を備えるもの）］
モバイル機器の中には、ＰＣＩ（Peripheral Component Interconnect）バスを用いたものも多く提供されている。このＰＣＩバスは、パーソナルコンピュータ関連メーカー百数十社が参加するＰＣＩ  Ｓｐｅｃｉａｌ  ＩｎｔｅｒｅｓｔＧｒｏｕｐが策定したローカルバスアーキテクチャであり、Ｐｅｎｔｉｕｍ（登録商標）プロセッサを搭載したパーソナルコンピュータのほとんどがＰＣＩバスを採用している。
【００６３】
そこで、図４に示すカード型チューナモジュール３は、ＰＣＩ変換部３１を設けるようにしたものである。図３において、図１Ａに示したカード型チューナモジュール１と同様に構成される部分には、同じ参照符号を付し、その詳細については重複するため説明を省略する。
【００６４】
図４に示すように、この構成例１のカード型チューナモジュール３は、図１Ａに示したカード型チューナモジュール１と同様に、図２を用いて説明したように構成されるフロントエンド部１１を備えるとともに、このフロントエンド部１１からのアナログ映像信号とアナログ音声信号との供給を受けて、これをＰＩＣバスを通じて処理可能な形式のデジタルデータに変換し、変換後のデジタルデータを出力端であるコネクタＯＴから出力するＰＣＩ変換部３１を設けたものである。
【００６５】
この図４に示すカード型チューナモジュール３の大きさ（ケース３Ｃの大きさ）は、主にＰＣカードと同等の大きさとされ、主にノート型パーソナルコンピュータにおいて用いられるようにされる。もちろん、上述もしたように、ケース３Ｃの大きさを容積が３立方センチメートル以下となる小型カードメモリと同様のサイズ、あるいは、それ以下となるように構成することも可能である。
【００６６】
このように、ＰＩＣデコード部３１をも備えたカード型チューナモジュール３を構成することにより、ノート型パーソナルコンピュータを含め、ほとんどのパーソナルコンピュータにテレビ機能を付加機能として簡単に追加することができる。
【００６７】
そして、カード型チューナモジュール３からのＰＣＩバスに送出可能な形式のデジタルデータの供給を受けるパーソナルコンピュータにおいては、そのカード型チューナモジュール３からのデジタルデータを利用して、テレビ放送番組を視聴したり、供給された放送番組のデジタルデータを自機のハードディスクに記録したり、また、他の電子機器に送信したりすることができるようにされる。
【００６８】
［構成例３（ＤＳＰ（Digital Signal Processor）を備えるもの）］
また、モバイル機器の中には、例えば、利用可能なカードメモリが決まっており、装填されたメモリカードとの間では、予め決められた形式でデジタルデータの送受を行なうようにしているものも数多く存在する。
【００６９】
そこで、図５に示すカード型チューナモジュール４は、所望の形式のデジタルデータを形成するためのＤＳＰ４１を設けるようにしたものである。図５において、図１Ａに示したカード型チューナモジュール１と同様に構成される部分には、同じ参照符号を付し、その説明については省略する。
【００７０】
図５に示すように、この構成例３のカード型チューナモジュール４は、図１Ａに示したカード型チューナモジュール１と同様に、図２を用いて説明したように構成されるフロントエンド部１１と、図１Ｃに示したように構成されるＡ／Ｄ変換部１２とを備えるとともに、Ａ／Ｄ変換部１２からの映像データと音声データとからなるデジタル信号の供給を受けて、これを相手機器が処理可能な形式のデジタルデータに変換し、これを出力端であるコネクタＯＴから出力するＤＳＰ４１を設けたものである。
【００７１】
ＤＳＰ４１においては、所定のプログラムが実行され、Ａ／Ｄ変換部１２から供給されるデジタルデータを、小型メモリカードの１つである例えばメモリスティック（登録商標）との間でデータを送受する場合の形式に合致したデジタルデータに変換し、これを出力することができるものである。もちろん、ＤＳＰ４１において実行させるプログラムを変更することにより、他の小型メモリカードに合致する形式のデジタルデータに変換することも可能である。
【００７２】
なお、コネクタＯＴの形状は、この例のカード型チューナモジュール４が装填されるモバイル機器等の電子機器の対応コネクタに合致する形状とされる。また、この図５に示すカード型チューナモジュール４の場合にも、その大きさ（ケース４の大きさ）は、ＰＣカード以下、あるいは、容積が３立方センチメートル以下となるようにされるものである。
【００７３】
このように、ＤＳＰ４１をも備えたカード型チューナモジュール４を構成することにより、多数存在する種々の小型メモリカードの大きさのカード型チューナモジュール４を構成することが可能となり、利用可能なメモリカードが異なる種々のモバイルイ機器にテレビ機能を付加機能として簡単に追加することができる。
【００７４】
もちろん、当該カード型チューナモジュール４が装填される電子機器においては、カード型チューナモジュール４からのデジタルデータを自機のハードディスクに記録保持するようにしたり、自機の送信機能を通じて他の電子機器に送信したりするようにすることができることは、上述した他の場合と同様である。
【００７５】
［構成例４（ＵＳＢ（Universal Serial Bus）ドライバを備えるもの）］
また、モバイル機器の中には、他の機器との接続端としてＵＳＢインターフェースを備えたものもある。このＵＳＢインターフェースに接続可能なように構成したものが、図６に示すカード型チューナモジュール５である。図６において、図１Ａに示したカード型チューナモジュール１と同様に構成される部分には、同じ参照符号を付し、その説明は省略する。
【００７６】
図５に示すように、この構成例５のカード型チューナモジュール５は、図１Ａに示したカード型チューナモジュール１と同様に、図２を用いて説明したように構成されるフロントエンド部１１と、図１Ｃに示したように構成されるＡ／Ｄ変換部１２とを備えるとともに、Ａ／Ｄ変換部１２からの映像データと音声データとからなるデジタル信号の供給を受けて、ＵＳＢインターフェースのバスに対して送出可能な形式のデジタルデータを形成し、これを出力端であるコネクタＯＴを通じて出力するＵＳＢドライバ５１を設けたものである。
【００７７】
この場合、コネクタＯＴは、ＵＳＢインターフェースに合致する構成とされる。このようにすることによって、ＵＳＢインターフェースを備えた種々のモバイル機器に対して、テレビ機能を付加機能として追加することができるようにされる。
【００７８】
このように、ＵＳＢインターフェースに接続可能なカード型モジュールの場合であっても、携帯性やモバイル機器に装着したときの状態などを考慮するとある程度小さいことが望ましく、その大きさ（ケース５Ｃの大きさ）は、ＰＣカード以下、あるいは、容積が３立方センチメートル以下となるように形成することが可能である。
【００７９】
また、上述した他の例のカード型チューナモジュールと同様に、カード型チューナモジュール５が装着される電子機器においては、カード型チューナモジュール５からのデジタルデータを自機のハードディスクに記録保持するようにしたり、当該モバイル機器の送信機能を通じて他の電子機器に送信したりすることも可能である。
【００８０】
上述した変形例を含む実施の形態の説明から明らかなように、装填するモバイル機器等の電子機器に応じて、種々の形式のデジタルデータを形成する機能を持ち、大きさもＰＣカード以下、あるいは、容積が３立方センチメートル以下に構成し、接続コネクタ（上述の例においては、コネクタＯＴ）の形状も装着する電子機器に応じて種々の形状に形成するカード型チューナモジュールを構成することができる。
【００８１】
そして、ノート型パーソナルコンピュータ、携帯電話端末、ＰＤＡなどのモバイル機器を初め、自宅や事務所などにおいて据え置き型で使用される電子機器であって、ＬＣＤなどの表示素子を備えた電子機器に対して、いわゆるテレビ機能を付加機能として簡単に追加することができるようにされる。
【００８２】
なお、図３、図４、図５、図６を用いて説明したいずれのカード型チューナモジュール２、３、４、５の場合にも、外部Ａ／Ｖ入力端（外部オーディオ／ビデオ入力端）を設けることにより、例えば、ＶＴＲやＤＶＤ再生装置など外部機器からの映像信号や音声信号を当該カード型チューナモジュール２が装填されたモバイル機器等の電子機器において利用できるようにすることができる。
【００８３】
また、図３、図４、図５、図６を用いて説明したカード型チューナモジュール２、３、４、５のコネクタＯＴは、モバイル機器等の電子機器からの選局制御信号の入力を受け付けて、これをフロントエンド部１１に供給するなど、装着された電子機器からの制御信号などを受け付けて、これを該当回路に供給することもできるようにされたものである。
【００８４】
［カード型チューナモジュールの大きさの具体例について］
上述したように、図１、図３、図４、図５、図６を用いて説明したカード型チューナモジュール１、２、３、４、５の大きさとしては、ＰＣカード以下の大きさ、さらに小型化し、容積が３立方センチメートル以下の大きさで構成するものとして説明した。
【００８５】
ＰＣカードは、縦横の大きさがクレジットカードサイズとされ、その厚みが３．３ｍｍ、５ｍｍ、１０．５ｍｍの３タイプが存在する。したがって、この実施の形態のカード型チューナモジュールの大きさは、上述の３タイプのＰＣカードの大きさ以下とし、コネクタ部をＰＣＭＣＩＡ規格に準拠したものとすることにより構成することになる。
【００８６】
また、容積が３立方センチメートル以下の大きさの一例を具体的に示すと、図７に示すように、例えば、縦２１．５ｍｍ、横５０ｍｍ、厚さ２．８ｍｍの大きさを持つソニー株式会社が開発したメモリスティック（登録商標）の容積が、その外形から計算すると約３立方センチメートルとなり、これと同等の大きさ、または、それ以下の大きさとすることで実現することができる。
【００８７】
もちろん、メモリスティック（登録商標）の大きさに構成することは一例であり、縦、横、厚さを変えて、容積が３立方センチメートル以下とすることも可能である。
【００８８】
例えば、従来から用いられている小型メモリカードには、図８に示すように、メモリスティック（登録商標）以外にも、スマートメディア（登録商標）、コンパクトフラッシュ（登録商標）、マルチメディアカード（登録商標）、ＳＤメモリカード（登録商標）、マイクロドライブ（登録商標）等、各電器機器メーカーが提唱する種々の大きさのものが存在する。
【００８９】
この発明に用いるフロントエンド部１１は、上述もしたように、その容積を１立方センチメートル以下とすることができるの、フロントエンド部１１に加えて、さらにＡ／Ｄ変換部１２やＰＣＩ変換部３１、あるいは、Ａ／Ｄ変換部１２とＭＰＥＧエンコード部２１、Ａ／Ｄ変換部１２とＤＳＰ４１、Ａ／Ｄ変換部１２とＵＳＢドライバとを加えて、図８に示したような各小型メモリカード以下の大きさのカード型チューナモジュールを構成することができる。
【００９０】
また、フロントエンド部１１やＡ／Ｄ変換部１２などのカード型のケース内に収納する各回路部分の搭載形式をボードへの両面マウントや、モールド形式ではなく、いわゆるレア形式でボード上にマウントするなどの改良を加えることにより、さらに小型化することも可能である。
【００９１】
また、このようにＰＣカードよりも小さな小型カードメモリサイズのカード型チューナモジュールを構成した場合であっても、例えば、ノート型パーソナルコンピュータなどの電子機器に設けられたＰＣカードスロットに装着するようにするためのいわゆるＰＣカードアダプタを用いることにより、小型カードメモリサイズのカード型チューナモジュールをＰＣカードとして利用するようにすることも可能である。
【００９２】
なお、上述した実施の形態においては、アナログ地上波テレビ放送信号を受信する場合を例にして説明したが、これに限るものではない。例えば、デジタル地上波テレビ放送信号を受信するカード型チューナモジュールを構成することもできる。この場合には、フロントエンド部に加えて、出力するデジタル信号の形式を相手機器でそのまま処理可能な形式に変換するいわゆるフォーマット変換部を設けるようにすれば良い。
【００９３】
また、テレビ放送信号だけでなく、アナログ、デジタルを問わず、ラジオ放送信号やデータ放送信号等、何らかの情報を送信するための種々の高周波信号を受信復調して、これを利用できるようにする場合にこの発明を適用することができる。
【００９４】
また、上述した実施の形態においては、この発明が適用されたカード型チューナモジュールをノート型パーソナルコンピュータ、携帯電話端末、ＰＤＡなどのいわゆるモバイル機器に利用して好適なものとして説明したが、これに限るものではなく、家庭や会社などの所定の場所に据え置かれて使用される電子機器に利用することももちろんできる。
【００９５】
【発明の効果】
以上説明したように、この発明によれば、装着する相手の電子機器には何の変更や改良を加えることもなく、当該相手の電子機器にテレビ機能やＡ／Ｖ（オーディオ／ビジュアル）処理機能を追加することができる。
【図面の簡単な説明】
【図１】この発明の高周波信号受信装置の一実施の形態が適用されたカード型チューナモジュールを説明するための図である。
【図２】図１に示したカード型チューナモジュールのフロントエンド部の構成例を説明するための図である。
【図３】この発明の高周波信号受信装置の一実施の形態が適用されたカード型チューナモジュールの他の例を説明するための図である。
【図４】この発明の高周波信号受信装置の一実施の形態が適用されたカード型チューナモジュールの他の例を説明するための図である。
【図５】この発明の高周波信号受信装置の一実施の形態が適用されたカード型チューナモジュールの他の例を説明するための図である。
【図６】この発明の高周波信号受信装置の一実施の形態が適用されたカード型チューナモジュールの他の例を説明するための図である。
【図７】カード型チューナモジュールの大きさの具体例を説明するための図である。
【図８】既存の小型カードメモリの大きさの参考例を示すための図である。
【符号の説明】
１、２、３、４、５…カード型チューナモジュール、１Ｃ、２Ｃ、３Ｃ、４Ｃ、５Ｃ…ケース、１１…フロントエンド部、１１ａ…高周波回路部、１１ｂ…中間周波増幅検波部、１２…Ａ／Ｄ変換部、１２ａ…ビデオデコーダ、１２ｂオーディオデコーダ、１２ｃ…ビデオプロセッサ、ＡＮＴ…受信アンテナ、ＯＴ…コネクタ、１１１…ＲＦアンプ、１１２、１１６…ミキサー回路、１１３…発振器、１１４、１１７…ＰＬＬ回路、１１５、１１８…発振器、１２１…ＩＦアンプ、１２２…位相器、１２３、１２６…ミキサー回路、１２７…ローパスフィルタ、１２８…アンプ、１２９…バンドパスフィルタ、１３０…ＦＭ検波器、１３１…ＡＧＣ回路、２１…ＭＰＥＧエンコード部、３１…ＰＣＩ変換部、４１…ＤＳＰ、５１…ＵＳＢドライバ
【図１】
2004201108.tif 000003
【図２】
2004201108.tif 000004
【図３】
2004201108.tif 000005
【図４】
2004201108.tif 000006
【図５】
2004201108.tif 000007
【図６】
2004201108.tif 000008
【図７】
2004201108.tif 000009
【図８】
2004201108.tif 000010